(57)【要約】【課題】エレベーターの乗り場表示装置は、通信ケーブルの電圧降下や長期稼動による発光素子の劣化により、輝度が低下するという要因がある。本発明はエレベーターの乗り場表示装置の設置位置や稼働時間を判別し、これに応じて設定された乗り場表示装置の輝度を自動的に補正する。【解決手段】エレベーター制御装置内の記憶装置に格納されている階高データから乗り場表示装置とエレベーター制御装置との距離を算出し、距離に応じて自動的に輝度を補正する。また、エレベーター制御装置内の記憶装置に乗り場表示装置の稼働時間を記録し、記録した稼働時間データから自動的に輝度を補正する。【選択図】  図２
2014034429.tif 000002
【特許請求の範囲】
【請求項１】
複数階床間をサービスするエレベーターと、前記エレベーターを制御するエレベーター制御装置と、前記エレベーター制御装置より出力するエレベーター運転情報から前記エレベーターの現在階床と運転方向を案内する各階乗り場に設けられた表示部を有する乗り場表示装置とを備えたエレベーター装置において、
前記エレベーター制御装置は、前記乗り場表示装置の輝度を設定する輝度制御部と、前記エレベーターの階高データを記憶する階高データ記憶装置と、前記乗り場表示装置の輝度設定データを記憶する輝度設定データ記憶装置と、前記輝度制御部で設定された輝度を各階の乗り場表示装置に送信する通信部を有し、前記輝度制御部は前記階高データ記憶装置の階高データと前記輝度設定データ記憶装置の輝度設定データを用いて、前記エレベーター制御装置と各階乗り場表示装置との距離に応じて前記乗り場表示装置の前記表示部の輝度の補正値を演算し、前記表示部の輝度を所定値に合わせて制御することを特徴とするエレベーター装置の乗り場表示装置。
【請求項２】
請求項１に記載されたエレベーター装置の乗り場表示装置において、前記輝度制御部は、通信階を選択する通信階選択部と、前記階高データ記憶装置から前記通信階選択部により選択された階の階高データから前記エレベーター制御装置と前記乗り場表示装置との距離を計算する距離演算部と、該距離演算部により求めた前記エレベーター制御装置と前記乗り場表示装置との距離から前記輝度設定データ記憶装置の輝度設定データの補正値を演算する輝度演算部と、該輝度演算部の補正値に基づいて前記通信階選択部により選択した階の表示部の輝度を設定する輝度設定部とを有することを特徴とするエレベーター装置の乗り場表示装置。
【請求項３】
請求項２または３に記載されたエレベーター装置の乗り場表示装置において、前記エレベーター制御装置は、さらに前記各乗り場表示装置の稼働時間データを記憶する稼働時間データ記憶装置と、前記乗り場表示装置の稼働時間をカウントする通信タイムカウンタとを有し、
前記輝度制御部の前記輝度演算部は、前記エレベーター制御装置と各階乗り場表示装置との距離および前記稼働時間データ記憶装置内の前記各乗り場表示装置の稼働時間データに応じて、前記乗り場表示装置の輝度を所定値に制御することを特徴とするエレベーター装置の乗り場表示装置。
【請求項４】
請求項１乃至３のいずれかに記載されたエレベーター装置の乗り場表示装置において、前記表示部の輝度の所定値は、使用状況に応じた複数の輝度パターンからなることを特徴とするエレベーター装置の乗り場表示装置。
【請求項５】
請求項１乃至３のいずれかに記載されたエレベーター装置の乗り場表示装置において、前記乗り場表示装置の前記表示部にＬＥＤを用いたことを特徴とするエレベーター装置の乗り場表示装置。
【請求項６】
請求項１乃至５のいずれかに記載されたエレベーター装置の乗り場表示装置において、前記エレベーターの各階乗り場の前記乗り場表示装置の輝度を個々に変更することを特徴とするエレベーター装置の乗り場表示装置。
【請求項７】
請求項１乃至６のいずれかに記載されたエレベーター装置の乗り場表示装置を備えたエレベータ。
【発明の詳細な説明】
【技術分野】
【０００１】
本発明は、エレベーターの各階乗り場に設置する乗り場表示装置に関し、特に乗り場表示装置の設置位置や稼働時間から乗り場表示装置の表示部の輝度を自動的に制御するものに関する。
【背景技術】
【０００２】
乗り場表示装置の表示部の発光素子には、白熱灯、蛍光灯、バックライト液晶、ＬＥＤ等がもちいられている。従来、発光ダイオード（ＬＥＤ）は、発光素子に一定の時間幅で断続するパルス電流を流す駆動方法が用いられている。例えば特許文献１には、発光素子に流すパルス電流の時間幅によってＬＥＤの輝度を調整している構成が開示されている。
【０００３】
また、特許文献２には、エレベーターを制御する制御装置と、各階乗り場に設けられたホール表示器とを備え、制御装置は各ホール表示器の輝度をエレベーターの運転状態に応じて調整し、また、輝度調整手段を利用してタイマー手段により時間毎に自動的に表示部の輝度を調整し、また、長時間エレベーターが利用されていない場合に自動的に表示部の輝度を低下させる構成が開示されている。
【先行技術文献】
【特許文献】
【０００４】
【特許文献１】特開昭６１−２７０７９５号公報
【特許文献２】特開平９−１４２７５１号公報
【発明の概要】
【発明が解決しようとする課題】
【０００５】
エレベーターの各階の乗り場表示装置は、エレベーター制御装置から直結ケーブルや分岐ケーブル等のケーブルによってエレベーター制御装置と接続されている。そのため、長大なケーブルのもつ電気抵抗によって電圧降下が生じ、その影響で制御装置からの距離が遠い階は、制御盤からの距離が近い階と比較すると乗り場表示装置の表示部の輝度が低下してしまう。また、発光素子にＬＥＤを用いた場合は、ＬＥＤは稼働時間が長くなると表示部の輝度が低下する特性がある。
【０００６】
特許文献１においては、表示状態を特定の輝度に一旦設定すると、その後これを変更することはできなかった。また、特許文献２では前述の電圧降下と稼動時間の影響による表示部の輝度の低下は考慮されていない。
【０００７】
以上のように、従来技術では、エレベーターの乗り場表示装置において、表示部の輝度の調整方法や輝度を変更する条件は開示されているが、設置位置や稼働時間による表示部の輝度の低下や経時的劣化についての調整手段は述べられていない。
【０００８】
本発明は、エレベーターの乗り場表示装置の設置位置や稼働時間を判別し、設定された乗り場表示装置の表示部の輝度を自動的に所定値に補正することを目的とする。
【課題を解決するための手段】
【０００９】
本発明はエレベーター制御装置内の記憶装置に格納されているエレベーター各階乗り場の階高データに基づいてエレベーター制御装置と各階乗り場表示装置間の距離を算出し、算出した距離によって自動的に表示部の輝度を設定することを特徴とする。
【００１０】
また、乗り場表示装置とエレベーター制御装置との通信時間を乗り場表示装置の稼働時間として、エレベーター制御装置内の記憶装置に稼動時間を記録し、エレベーター制御装置と各階乗り場表示装置間の距離および乗り場表示装置の稼働時間によって自動的に表示部の輝度を設定することを特徴とする。
【発明の効果】
【００１１】
本発明によれば、各階乗り場に設けられた乗り場表示装置を備えたエレベーター装置において、エレベーター制御装置は、乗り場表示装置の輝度を設定する輝度制御部と、エレベーターの階高データを記憶する階高データ記憶装置と、乗り場表示装置の輝度設定データを記憶する輝度設定データ記憶装置と、輝度制御部で設定された輝度を各階の乗り場表示装置に送信する通信部を有し、輝度制御部が階高データ記憶装置の階高データと、輝度設定データ記憶装置の輝度設定データにより、エレベーター制御装置と各階乗り場表示装置との距離に応じて乗り場表示装置の輝度を演算し、輝度を所定値に補正制御することにより、エレベーター制御装置と乗り場表示装置間の距離の影響による表示部の輝度の低下を防ぐことができる。
【００１２】
さらに、エレベーター制御装置と乗り場表示装置間の距離および乗り場表示装置の稼動時間の影響による、表示部の輝度の低下を防ぐことができる効果がある。
【図面の簡単な説明】
【００１３】
【図１】本発明のエレベーター制御盤と乗り場表示装置を示す構成図である。
【図２】本発明の実施例１に係るエレベーター制御装置のブロック図である。
【図３】本発明の実施例１に係る輝度制御部のフローチャートである。
【図４】本発明の実施例２に係るエレベーター制御装置のブロック図である。
【図５】本発明の実施例２に係る輝度制御部のフローチャートである。
【発明を実施するための形態】
【００１４】
以下に本発明の実施例を、図面を参照して説明する。
【実施例１】
【００１５】
図１は、本発明のエレベーター制御盤と乗り場表示装置を示す構成図である。図１において、エレベーター制御装置１から乗り場表示装置３１〜３３までの構成を示す。エレベーター制御装置１からケーブル２を利用して、乗り場表示装置３１〜３３の表示部Ｄに図示しないエレベーターの運転情報を出力する。乗り場表示装置３１〜３３の表示部Ｄはエレベーターの運転情報より、エレベーターの進行方向と現在階床を含む表示をする。表示部Ｄは、例えばＬＥＤ、液晶、バックライト付きパネル等の種々のディスプレイデバイスを用いることができる。
【００１６】
図２は、本発明の実施例１に係るエレベーター制御装置のブロック図である。図２において、エレベーター制御装置１は表示部の輝度を設定する輝度制御部４と、各階乗り場間の階高データを記憶する階高データ記憶装置５と、乗り場表示装置３１〜３３の表示部Ｄの輝度を指定する輝度設定データを記憶する輝度設定データ記憶装置６と、乗り場表示装置３１〜３３へとデータを出力する通信部９とを含んで構成されている。
【００１７】
さらに、輝度制御部４は通信階を選択する通信階選択部４１と、通信階選択部４１により選択された階の階高データ記憶装置５内の階高データから、エレベーター制御装置１と乗り場表示装置３１〜３３との距離を計算する距離演算部４２と、距離演算部４２により求めた乗り場表示装置３１〜３３との距離から輝度設定データ記憶装置６の輝度設定データに補正を加える輝度演算部４３と、輝度演算部４３の結果を通信階選択部４１により選択した階乗り場表示装置の表示部Ｄの輝度として設定する輝度設定部４４とを含んで構成されている。
【００１８】
以下、エレベーター制御装置の具体的な制御方法について説明する。
【００１９】
図３は、本発明の実施例１に係る輝度制御部４の処理を示すフローチャートである。
【００２０】
ステップＳ１０にて、輝度制御部４は電源投入、またはリスタートにより制御ステップが起動される。
【００２１】
ステップＳ２０にて、通信階選択部４１が最下階の乗り場表示装置３１を選択し、ｎ＝１とする。
【００２２】
ステップＳ３０にて、輝度設定データ記憶装置６から輝度設定データを読み込む。
【００２３】
ステップＳ４０にて、ｎ階の階高データを階高データ記憶装置５から読み込む。
【００２４】
ステップＳ５０にて、エレベーター制御装置１からｎ階の乗り場表示装置３１〜３３のいずれかまでの距離を算出する。
【００２５】
ステップＳ６０ａにて、ステップＳ５０にて算出した距離がＸ１ｍ以内ならば、ステップＳ６０ｄの処理にて輝度補正値Ｙ１を設定する。また、ステップＳ５０にて算出した距離がＸ１ｍより大きければ、ステップＳ６０ｂにて処理する。ここで、Ｙ１は、実際には補正係数が１であり、すなわちステップS３０で読み込んだ輝度設定値をそのまま使用する。
【００２６】
ステップＳ６０ｂにて、ステップＳ５０にて算出した距離がＸ２ｍ以内ならば、ステップＳ６０Ｓの処理にて輝度補正値Ｙ２を設定する。また、ステップＳ５０にて算出した距離がＸ２ｍより大きければ、ステップＳ６０ｃにて処理する。
【００２７】
ステップＳ６０ｃにて、ステップＳ５０にて算出した距離がＸ３ｍ以内ならば、ステップＳ６０ｆの処理にて輝度補正値Ｙ３を設定する。また、ステップＳ５０にて算出した距離がＸ３ｍより大きければ、ステップＳ６０ｇの処理にて輝度補正値Ｙ４を設定する。
【００２８】
ステップＳ７０にて、輝度設定データ記憶装置６から読み込んだ輝度設定データの値に輝度補正値Ｙ１〜輝度補正値Ｙ４のいずれか処理された値を用いて補正する。
【００２９】
ステップＳ１１０にて、ｎ階の乗り場表示装置３１〜３３に補正された輝度データを送信する。
【００３０】
ステップＳ１２０にて、ｎ階に１階追加した階を選択し、ｎ＝ｎ＋１とする。
【００３１】
ステップＳ１３０にて、ステップＳ１２０にて選択したｎ階が選択可能な階床数より小さい場合は、ステップＳ４０処理へと戻るルーチン処理を繰り返す。ステップＳ１２０にて選択した階が選択可能な階床数より大きい場合は、ステップＳ１４０の処理にて本ステップを終了する。
【００３２】
基準となる輝度設定値は、夜間／昼間、混雑時／閑散時要の使用状況に応じて、複数の輝度パターンが予め設定されている。
【００３３】
従って、例えば昼間混雑時の所定の輝度設定値を、各階の乗り場表示装置の表示部に与えることができる。一方、消灯階等を設置したような場合は、各階の固有条件に応じて個別に輝度を設定することができる。
【実施例２】
【００３４】
次に、本発明の実施例２について説明する。
【００３５】
図４は、本発明の実施例２に係るエレベーター制御装置のブロック図である。本エレベーター制御装置１０１は表示部の輝度を設定する輝度制御部１０４と、各階乗り場間の階高データ記憶装置５と、乗り場表示装置３１〜３３の表示部の輝度を指定する輝度設定データ記憶装置６と、各乗り場表示装置３１〜３３の稼働時間データを記憶する稼働時間データ記憶装置７と、乗り場表示装置３１〜３３の稼働時間をカウントする通信タイムカウンタ８と、乗り場表示装置３１〜３３へデータを出力する通信部９とを含んで構成されている。
【００３６】
さらに、輝度制御部１０４は通信階を選択する通信階選択部１４１と、通信階選択部１４１により選択された階の階高データ５から、乗り場表示装置３１〜３３との距離を計算する距離演算部１４２と、距離演算部１４２により求めた乗り場表示装置３１〜３３との距離と稼働時間データ記憶装置７から読み込んだ稼働時間データから輝度設定データ記憶装置６から読み込んだ輝度設定データに補正を加える輝度演算部１４３と、輝度演算部１４３の結果を通信階選択部１４１により選択した階の乗り場表示装置の表示部Ｄの輝度として設定する輝度設定部１４４とを含んで構成されている。
【００３７】
以下、実施例２のエレベーター制御装置の具体的な制御方法について説明する。
【００３８】
図５は、本発明の実施例２に係る輝度制御部１０４の処理を示すフローチャートである。
【００３９】
ステップＳ１０にて、輝度制御部１０４は電源投入、または、リスタートにより制御ステップが起動される。
【００４０】
ステップＳ２０にて、通信階選択部１４１が最下階の乗り場表示装置３１を選択し、ｎ＝１とする。
【００４１】
ステップＳ３０にて、輝度設定データ記憶装置６から輝度設定データを読み込む。
【００４２】
ステップＳ４０にて、ｎ階の階高データを階高データ記憶装置５から読み込む。
【００４３】
ステップＳ５０にて、エレベーター制御装置１０１からｎ階の乗り場表示装置３１〜３３までの距離を算出する。
【００４４】
ステップＳ６０ａにて、ステップＳ５０にて算出した距離がＸ１ｍ以内ならば、ステップＳ６０ｄの処理にて輝度補正値Ｙ１を設定する。また、ステップＳ５０にて算出した距離がＸ１ｍより大きければ、ステップＳ６０ｂにて処理する。
【００４５】
ステップＳ６０ｂにて、ステップＳ５０にて算出した距離がＸ２ｍ以内ならば、ステップＳ６０ｅの処理にて輝度補正値Ｙ２を設定する。また、ステップＳ５０にて算出した距離がＸ２ｍより大きければ、ステップＳ６０ｃにて処理する。
【００４６】
ステップＳ６０ｃにて、ステップＳ５０にて算出した距離がＸ３ｍ以内ならば、ステップＳ６０ｆの処理にて輝度補正値Ｙ３を設定する。また、ステップＳ５０にて算出した距離がＸ３ｍより大きければ、ステップＳ６０ｇの処理にて輝度補正値Ｙ４を設定する。
【００４７】
ステップＳ７０にて、輝度設定データ記憶装置６から読み込んだ輝度設定データの値に輝度補正値Ｙ１〜輝度補正値Ｙ４のいずれか処理された値を用いて補正する。ここまでは、実施例１と同じステップである。
【００４８】
次に実施例２独自の稼働時間処理ステップであるステップＳ８０〜Ｓ１００について説明する。
【００４９】
ステップＳ８０にて、ｎ階の乗り場表示装置３１〜３３の稼働時間データを稼働時間データ記憶装置７から読み込む。
【００５０】
ステップＳ９０ａにて、ステップＳ８０にて読み込んだ稼働時間データがＴ１ｈ以内ならば、ステップＳ９０ｄの処理にて輝度補正値Ｙ５を設定する。また、ステップＳ８０にて読み込んだ稼働時間データがＴ１ｈより大きければ、ステップＳ９０ｂにて処理する。
【００５１】
ステップＳ９０ｂにて、ステップＳ８０にて読み込んだ稼働時間データ７がＴ２ｈ以内ならば、ステップＳ９０ｅの処理にて輝度補正値Ｙ６を設定する。また、ステップＳ８０にて読み込んだ稼働時間データがＴ２ｈより大きければ、ステップＳ９０ｃにて処理する。
【００５２】
ステップＳ９０ｃにて、ステップＳ８０にて読み込んだ稼働時間データ７がＴ３ｈ以内ならば、ステップＳ９０ｆの処理にて輝度補正値Ｙ７を設定する。また、ステップＳ８０にて読み込んだ稼働時間データがＴ３ｈより大きければ、ステップＳ９０ｇの処理にて輝度補正値Ｙ８を設定する。
【００５３】
ステップＳ１００にて、輝度設定データ記憶装置６から読み込んだ輝度設定データに輝度補正値Ｙ１〜輝度補正値Ｙ４のいずれかが処理されて補正を加えた値に、輝度補正値Ｙ５〜輝度補正値Ｙ８のいずれか処理された値を用いてさらに補正する。
【００５４】
ステップＳ１１０にて、n階の乗り場表示装置３１〜３３に補正された輝度データを送信する。
【００５５】
ステップＳ１２０にてｎ階に１階追加した階を選択し、ｎ＝ｎ＋１とする。
【００５６】
ステップＳ１３０にて、ステップＳ１２０にて選択したｎ階が選択可能な階床数より小さい場合は、ステップＳ４０の処理へと戻る。ステップＳ１２０にて選択した階が選択可能な階床数より大きい場合は、ステップＳ１４０の処理にて本ステップを終了する。
【００５７】
実施例２はエレベーター制御装置１０１と各階乗り場表示装置３１〜３３との距離と、乗り場表示装置３１〜３３の稼働時間データから輝度を決定している。これを乗り場表示装置３１〜３３の稼働時間データのみから輝度設定を行うようにした場合でも、一定の効果があることはいうまでもない。
【符号の説明】
【００５８】
１、１０４  エレベーター制御装置
２  ケーブル
４、１０４  輝度制御部
５  階高データ記憶装置
６  輝度設定データ記憶装置
７  稼働時間データ記憶装置
８  通信タイムカウンタ
９  通信部
３１〜３３  乗り場表示装置
４１、１４１  通信階選択部
４２、１４２  距離演算部
４３、１４３  輝度演算部
４４、１４４  輝度設定部
Ｄ  表示部
【図１】
2014034429.tif 000003
【図２】
2014034429.tif 000004
【図３】
2014034429.tif 000005
【図４】
2014034429.tif 000006
【図５】
2014034429.tif 000007